(57)【要約】【課題】画面上に複数の画像が複数の特徴量軸に沿って表示されている状態で、複数の特徴量軸から所望の特徴量軸を簡単かつ的確に選択することが可能になる画像表示装置、画像表示制御方法及びプログラムを提供する。【解決手段】  画像表示装置１０は、表示パネル１２と、複数の特徴量にそれぞれ対応する複数の特徴量軸に沿って複数の画像を表示させる画像表示制御部４２と、表示パネル１２の画面上のタッチ位置を検知するタッチパネル１４と、タッチパネル１４からタッチ位置を取得するタッチ位置取得部１６と、表示パネル１２の画面上の二点がタッチされている場合、複数の特徴量軸のうちで二点を結ぶ直線に傾きが最も近い特徴量軸を特定の特徴量軸として選択する特徴量軸選択部７０と、表示パネル１２の画面に、選択された特定の特徴量軸がタッチ操作可能なアクティブ状態であることを示すアクティブ状態表示を行うアクティブ状態表示制御部４４を備える。【選択図】図２
2015215846.tif 000002
【特許請求の範囲】
【請求項１】
画面を有する表示パネルと、
前記表示パネルの画面に複数の特徴量を有する複数の画像を表示させる画像表示制御部であって前記複数の特徴量にそれぞれ対応する複数の特徴量軸に沿って前記複数の画像を表示させる画像表示制御部と、
前記表示パネルの画面上のタッチ位置を検知するタッチパネルと、
前記表示パネルの画面上で二点がタッチされている場合、前記タッチパネルから前記二点のタッチ位置を取得するタッチ位置取得部と、
前記複数の特徴量軸のうちで前記二点を結ぶ直線に傾きが最も近い特徴量軸を特定の特徴量軸として選択する特徴量軸選択部と、
前記表示パネルの画面に、前記特定の特徴量軸がタッチ操作可能なアクティブ状態であることを示すアクティブ状態表示を行うアクティブ状態表示制御部と、
を備える画像表示装置。
【請求項２】
前記タッチパネルにより検知されるタッチ位置に基づいて、前記表示パネルの画面上でタッチされている前記二点の間隔の変化を検出する二点間隔変化検出部と、
前記アクティブ状態の表示中に前記二点の間隔の変化が検出された場合、前記表示パネルの画面上で前記二点の間隔の変化に応じて前記特定の特徴量軸の縮尺を拡縮する拡縮表示制御部と、
を備える請求項１に記載の画像表示装置。
【請求項３】
前記タッチパネルにより検知されるタッチ位置に基づいて、前記表示パネルの画面上のスライド操作を検出するスライド操作検出部と、
前記アクティブ状態の表示中に前記スライド操作が行われた場合、前記表示パネルの画面上で前記特定の特徴量軸を当該特徴量軸の軸方向にスライドさせるスライド表示制御部と、
を備える請求項１または２に記載の画像表示装置。
【請求項４】
前記タッチパネルにより検知されるタッチ位置に基づいて、前記表示パネルの画面上のタッチされている前記二点を結ぶ直線の傾きの変化を検出する傾き変化検出部を備え、
前記特徴量軸選択部は、前記アクティブ状態の表示中に前記直線の傾きが変化した場合、前記アクティブ状態表示されている特定の特徴量軸に対して回動の方向において隣接する特徴量軸を、新しい特定の特徴量軸として選択し、
前記アクティブ状態表示制御部は、新しい特定の特徴量軸が選択された場合、前記アクティブ状態の表示中の特徴量軸のアクティブ状態表示を解除して、前記新しい特定の特徴量軸のアクティブ状態表示を行う、
請求項１から３のいずれか一項に記載の画像表示装置。
【請求項５】
前記複数の特徴量軸を前記表示パネルの画面に表示させる特徴量軸表示制御部を備え、
前記画像表示制御部は、表示された前記特徴量軸に重ねて前記複数の画像を表示させる請求項１から４のいずれか一項に記載の画像表示装置。
【請求項６】
前記複数の特徴量軸を前記表示パネルの画面に非表示とし、
前記画像表示制御部は、非表示の前記特徴量軸に沿って前記複数の画像を表示させる請求項１から４のいずれか一項に記載の画像表示装置。
【請求項７】
前記表示パネルの画面上のタッチされている前記二点を結ぶ直線の傾きを検出する直線傾き検出部を備え、
前記特徴量軸選択部は、前記複数の特徴量軸のうちで前記直線傾き検出部により検出された傾きに最も近い傾きの特徴量軸を前記特定の特徴量軸として選択する請求項１から６のいずれか一項に記載の画像表示装置。
【請求項８】
前記特徴量軸選択部は、前記複数の特徴量軸のうちで前記画面上でタッチされている前記二点の両方が軸上に位置する特徴量軸が存在する場合、当該特徴量軸を前記特定の特徴量軸として選択する請求項１から６のいずれか一項に記載の画像表示装置。
【請求項９】
前記表示パネルの画面上のタッチされている前記二点を結ぶ直線と前記特徴量軸との距離を検出する直線間距離検出部を備え、
前記特徴量軸選択部は、前記複数の特徴量軸のうちで、前記二点を結ぶ直線との距離が最も小さく、かつ前記二点を結ぶ直線に傾きが最も近い特徴量軸を、前記特定の特徴量軸として選択する請求項１から８のいずれか一項に記載の画像表示装置。
【請求項１０】
前記アクティブ状態表示制御部は、前記二点のタッチが一定時間継続した場合に前記特定の特徴量軸がアクティブ状態であると判定して前記アクティブ状態表示を行う請求項１から９のいずれか一項に記載の画像表示装置。
【請求項１１】
前記特徴量は、前記画像の色特徴量、形特徴量、柄特徴量、及び質感特徴量のうちの少なくとも１つを含む請求項１から１０のうちのいずれか一項に記載の画像表示装置。
【請求項１２】
画面を有する表示パネルを用い、前記表示パネルの画面に複数の特徴量を有する複数の画像を表示させる工程であって前記複数の特徴量にそれぞれ対応する複数の特徴量軸に沿って前記複数の画像を表示させる工程と、
前記表示パネルの画面上のタッチ位置を検知するタッチパネルを用い、前記表示パネルの画面上で二点がタッチされている場合、前記タッチパネルから前記二点のタッチ位置を取得する工程と、
前記複数の特徴量軸のうちで前記二点を結ぶ直線に傾きが最も近い特徴量軸を特定の特徴量軸として選択する工程と、
前記表示パネルの画面に、前記特定の特徴量軸がタッチ操作可能なアクティブ状態であることを示すアクティブ状態表示を行う工程と、
を含む画像表示制御方法。
【請求項１３】
画面を有する表示パネルを用い、前記表示パネルの画面に複数の特徴量を有する複数の画像を表示させる工程であって前記複数の特徴量にそれぞれ対応する複数の特徴量軸に沿って前記複数の画像を表示させる工程と、
前記表示パネルの画面上のタッチ位置を検知するタッチパネルを用い、前記表示パネルの画面上で二点がタッチされている場合、前記タッチパネルから前記二点のタッチ位置を取得する工程と、
前記複数の特徴量軸のうちで前記二点を結ぶ直線に傾きが最も近い特徴量軸を特定の特徴量軸として選択する工程と、
前記表示パネルの画面に、前記特定の特徴量軸がタッチ操作可能なアクティブ状態であることを示すアクティブ状態表示を行う工程と、
を、コンピュータ装置に実行させるプログラム。
【発明の詳細な説明】
【技術分野】
【０００１】
本発明は、画面上に複数の画像が複数の特徴量軸に沿って表示されている状態で、複数の特徴量軸から所望の特徴量軸を簡単かつ的確に選択することが可能になる画像表示装置、画像表示制御方法及びプログラムに関する。
【背景技術】
【０００２】
インターネット上のＥＣ（Ｅｌｅｃｔｒｏｎｉｃ  Ｃｏｍｍｅｒｃｅ）サイトで商品検索処理を行い、ユーザ端末で商品検索結果として複数の商品画像を表示してユーザの画像選択操作を受け付ける技術が知られている。ユーザは、ユーザ端末で画像選択操作を行うことにより、インターネットを介して購入希望商品を選択することができる。
【０００３】
また、複数の画像を画面上の座標軸に沿って表示する技術が知られている。
【０００４】
特許文献１は、ユーザが人物の相関関係図を閲覧する場合に、ひとつの座標軸として時間軸を画面上に設定し、複数の人物画像を時間軸に沿って表示することを、開示している。また、特許文献１は、時間軸方向に沿った二本指でのピンチ操作に応じて、時間軸の尺度を変化させることを、開示している。
【０００５】
特許文献２は、ユーザが複数の画像を感性的特徴量と関連付ける作業を支援するため、直交する二つの座標軸（例えば、横軸として「ソフト／シャープ軸」、縦軸として「モダン／クラシック軸」）を画面に表示し、複数の画像を二つの座標軸に関連付けて画面上に配置する操作を受け付けることを、開示している。また、特許文献２は、画面上のボタンを操作することにより二つの座標軸を切替可能としたことを開示している。
【先行技術文献】
【特許文献】
【０００６】
【特許文献１】特開２０１３−２１０８６８号公報
【特許文献２】特開平９−１１４８５３号公報
【発明の概要】
【発明が解決しようとする課題】
【０００７】
商品検索結果として検索された多数の商品画像を画面上に並べて表示する際に、商品画像の複数の特徴量（例えば色相、明度、彩度、柄）にそれぞれ対応する複数の特徴量軸に沿って複数の商品画像を表示することにより、ユーザの商品画像の閲覧及び選択が容易になると考えられる。
【０００８】
しかしながら、複数の特徴量軸に沿って複数の画像が表示されている状態で、複数の特徴量軸から所望の特徴量軸を簡単かつ的確に選択することができなかった。したがって、
特定の特徴量軸に対する操作が困難であった。例えば、画面に表示される商品画像の数が多くなると、ユーザの希望する商品の画像がユーザの希望しない商品の画像の裏に隠れて見えなくなる問題がある。ユーザ端末には一般にズーミングの機能が備えられているが、単なるズーミングでは各画像が拡大表示されるだけであり、裏に隠れて見えない画像が見えるようになるわけではない。そこで、まず、特徴量軸の選択操作を受け付け、次に、特定の特徴量軸の尺度を拡大する操作を受け付けて、特徴量軸の縮尺の拡大を行うことにより裏に隠れて見えない画像を見えるようにすることが考えられる。しかしながら、複数の特徴量軸に沿って複数の画像が表示されている状態で、複数の特徴量軸から所望の特徴量軸を簡単かつ的確に選択する技術が知られておらず、また、画像の特徴量の数に対応して特徴量軸の数が多くなると、特徴量軸の選択操作は容易でなくなるという新たな問題に直面する。特に、複数の特徴量軸が画面上で接近し合った状態では、希望する特徴量軸を選択することが容易でなくなると考えられる。
【０００９】
特許文献１に記載された発明は、単に一つの座標軸である時間軸の尺度をピンチ操作に応じて変化させるだけであり、複数の特徴量軸に沿って複数の画像が表示されている状態で、複数の特徴量軸から所望の特徴量軸を簡単かつ的確に選択することができない。
【００１０】
特許文献２に記載された発明は、単に二つの座標軸が切替可能であるだけであり、複数の特徴量軸に沿って複数の画像が表示されている状態で、複数の特徴量軸から所望の特徴量軸を簡単かつ的確に選択することができるわけではない。
【００１１】
本発明はこのような事情に鑑みてなされたもので、画面上に複数の特徴量を有する複数の画像が複数の特徴量軸に沿って表示されている状態で、複数の特徴量軸から所望の特徴量軸を簡単かつ的確に選択することが可能になる画像表示装置、画像表示制御方法及びプログラムを提供することを目的とする。
【課題を解決するための手段】
【００１２】
上記の目的を達成するために、本発明の一の態様に係る画像表示装置は、画面を有する表示パネルと、表示パネルの画面に複数の特徴量を有する複数の画像を表示させる画像表示制御部であって複数の特徴量にそれぞれ対応する複数の特徴量軸に沿って複数の画像を表示させる画像表示制御部と、表示パネルの画面上のタッチ位置を検知するタッチパネルと、表示パネルの画面上で二点がタッチされている場合、タッチパネルから二点のタッチ位置を取得するタッチ位置取得部と、複数の特徴量軸のうちで二点を結ぶ直線に傾きが最も近い特徴量軸を特定の特徴量軸として選択する特徴量軸選択部と、表示パネルの画面に、特定の特徴量軸がタッチ操作可能なアクティブ状態であることを示すアクティブ状態表示を行うアクティブ状態表示制御部と、を備える。
【００１３】
本発明の一の態様によれば、画面上に複数の特徴量を有する複数の画像が複数の特徴量軸に沿って表示されている状態で、表示パネルの画面上で二点がタッチされている場合、二点を結ぶ直線の傾きに応じて特定の特徴量軸が選択されてアクティブ状態表示が行われるので、複数の特徴量軸から所望の特徴量軸を簡単かつ的確に選択することが可能になる。
【００１４】
本発明の他の態様に係る画像表示装置において、タッチパネルにより検知されるタッチ位置に基づいて、表示パネルの画面上でタッチされている二点の間隔の変化を検出する二点間隔変化検出部と、アクティブ状態の表示中に二点の間隔の変化が検出された場合、表示パネルの画面上で二点の間隔の変化に応じて特定の特徴量軸の縮尺を拡縮する拡縮表示制御部と、を備える。
【００１５】
本発明の更に他の態様に係る画像表示装置において、タッチパネルにより検知されるタッチ位置に基づいて、表示パネルの画面上のスライド操作を検出するスライド操作検出部と、アクティブ状態の表示中にスライド操作が行われた場合、表示パネルの画面上で特定の特徴量軸を特徴量軸の軸方向にスライドさせるスライド表示制御部と、を備える。
【００１６】
本発明の更に他の態様に係る画像表示装置において、タッチパネルにより検知されるタッチ位置に基づいて、表示パネルの画面上のタッチされている二点を結ぶ直線の傾きの変化を検出する傾き変化検出部を備え、特徴量軸選択部は、アクティブ状態の表示中に直線の傾きが変化した場合、アクティブ状態表示されている特定の特徴量軸に対して回動の方向において隣接する特徴量軸を、新しい特定の特徴量軸として選択し、アクティブ状態表示制御部は、新しい特定の特徴量軸が選択された場合、アクティブ状態の表示中の特徴量軸のアクティブ状態表示を解除して、新しい特定の特徴量軸のアクティブ状態表示を行う。
【００１７】
本発明の更に他の態様に係る画像表示装置において、複数の特徴量軸を表示パネルの画面に表示させる特徴量軸表示制御部を備え、画像表示制御部は、表示された特徴量軸に重ねて複数の画像を表示させる。
【００１８】
本発明の更に他の態様に係る画像表示装置において、複数の特徴量軸を表示パネルの画面に非表示とし、画像表示制御部は、非表示の特徴量軸に沿って複数の画像を表示させる。
【００１９】
本発明の更に他の態様に係る画像表示装置において、表示パネルの画面上のタッチされている二点を結ぶ直線の傾きを検出する直線傾き検出部を備え、特徴量軸選択部は、複数の特徴量軸のうちで直線傾き検出部により検出された傾きに最も近い傾きの特徴量軸を特定の特徴量軸として選択する。
【００２０】
本発明の更に他の態様に係る画像表示装置において、特徴量軸選択部は、複数の特徴量軸のうちで画面上でタッチされている二点の両方が軸上に位置する特徴量軸が存在する場合、特徴量軸を特定の特徴量軸として選択する。
【００２１】
本発明の更に他の態様に係る画像表示装置において、表示パネルの画面上のタッチされている二点を結ぶ直線と特徴量軸との距離を検出する直線間距離検出部を備え、特徴量軸選択部は、複数の特徴量軸のうちで、二点を結ぶ直線との距離が最も小さく、かつ二点を結ぶ直線に傾きが最も近い特徴量軸を、特定の特徴量軸として選択する。
【００２２】
本発明の更に他の態様に係る画像表示装置において、アクティブ状態表示制御部は、二点のタッチが一定時間継続した場合に特定の特徴量軸がアクティブ状態であると判定してアクティブ状態表示を行う。
【００２３】
本発明の更に他の態様に係る画像表示装置において、特徴量は、画像の色特徴量、形特徴量、柄特徴量、及び質感特徴量のうちの少なくとも１つである。
【００２４】
本発明の他の態様に係る画像表示制御方法において、画面を有する表示パネルを用い、表示パネルの画面に複数の特徴量を有する複数の画像を表示させる工程であって複数の特徴量にそれぞれ対応する複数の特徴量軸に沿って複数の画像を表示させる工程と、表示パネルの画面上のタッチ位置を検知するタッチパネルを用い、表示パネルの画面上で二点がタッチされている場合、タッチパネルから二点のタッチ位置を取得する工程と、複数の特徴量軸のうちで二点を結ぶ直線に傾きが最も近い特徴量軸を特定の特徴量軸として選択する工程と、表示パネルの画面に、特定の特徴量軸がタッチ操作可能なアクティブ状態であることを示すアクティブ状態表示を行う工程と、を含む。
【００２５】
本発明の他の態様に係るプログラムにおいて、画面を有する表示パネルを用い、表示パネルの画面に複数の特徴量を有する複数の画像を表示させる工程であって複数の特徴量にそれぞれ対応する複数の特徴量軸に沿って複数の画像を表示させる工程と、表示パネルの画面上のタッチ位置を検知するタッチパネルを用い、表示パネルの画面上で二点がタッチされている場合、タッチパネルから二点のタッチ位置を取得する工程と、複数の特徴量軸のうちで二点を結ぶ直線に傾きが最も近い特徴量軸を特定の特徴量軸として選択する工程と、表示パネルの画面に、特定の特徴量軸がタッチ操作可能なアクティブ状態であることを示すアクティブ状態表示を行う工程と、をコンピュータ装置に実行させる。
【発明の効果】
【００２６】
本発明によれば、画面上に複数の特徴量を有する複数の画像が複数の特徴量軸に沿って表示されている状態で、複数の特徴量軸から所望の特徴量軸を簡単かつ的確に選択することが可能になる。
【図面の簡単な説明】
【００２７】
【図１】画像表示装置の概略構成例を示すブロック図
【図２】画像表示装置の要部の詳細構成例を示すブロック図
【図３】直線間距離検出の説明に用いる説明図
【図４】画像表示制御処理の要部を示す概略フローチャート
【図５】画像表示制御処理の一例を示すフローチャート
【図６】画像表示の一例の説明に用いる説明図
【図７】二点のロングタッチの一例の説明に用いる説明図
【図８】アクティブ状態表示の一例の説明に用いる説明図
【図９】アクティブ状態表示中の処理の一例を示すフローチャート
【図１０】アクティブ状態表示中の特徴量軸の縮尺の拡大の一例の説明に用いる説明図
【図１１】アクティブ状態表示中の特徴量軸の縮尺の縮小の一例の説明に用いる説明図
【図１２】アクティブ状態表示中の特徴量軸のスライドの一例の説明に用いる説明図
【図１３】アクティブ状態表示中の特徴量軸の変更の一例の説明に用いる説明図
【図１４】特徴量軸が非表示である場合の画像表示の一例の説明に用いる説明図
【図１５】特徴量軸が非表示である場合の特徴量軸選択の一例の説明に用いる説明図
【図１６】特徴量軸が非表示である場合のアクティブ状態表示の一例の説明に用いる説明図
【図１７】スマートフォンの外観を示す概念図である。
【図１８】図１７に示すスマートフォンの構成を示す機能ブロック図である。
【発明を実施するための形態】
【００２８】
以下、添付図面に従って本発明に係る画像表示装置の実施の形態について説明する。
【００２９】
＜画像表示装置＞
図１は、本発明の画像表示装置１０の概略構成例を示すブロック図である。
【００３０】
画像表示装置１０は、画面を有する表示パネル１２と、表示パネル１２の画面上のタッチ位置を検知するタッチパネル１４と、タッチパネル１４からタッチ位置を取得するタッチ位置取得部１６と、タッチ操作を解析するタッチ操作解析部１８と、タッチ操作の解析結果に基づいて、タッチ操作に対応するアクションの実行を決定するアクション決定部２０と、表示パネル１２の表示を制御する表示制御部２２であって、アクション決定部２０の決定したアクションに対応する表示制御を実行可能な表示制御部２２と、画像表示装置１０の外部からの情報の入力及び画像表示装置１０の外部への情報の出力を行う外部入出力部３２と、計時を行うタイマ３４と、各種の情報を記憶する記憶部３６と、画像表示装置１０の各部を制御する主制御部３８を含んで構成される。
【００３１】
表示パネル１２は、例えば、ＬＣＤ（液晶表示装置）によって構成される。尚、表示パネル１２は、ＬＣＤには特に限定されず、画像を表示可能な表示デバイスでよい。
【００３２】
タッチパネル１４は、例えば、表示パネル１２の画面上に配置されたタッチパネルによって構成される。タッチパネル１４は表示パネル１２と一体型でもよいし非一体型でもよい。尚、タッチパネル１４は、少なくとも二点のタッチを検知可能なマルチタッチのタッチパネルを用いる。例えば、静電容量方式のタッチパネルが挙げられる。尚、静電容量方式に限定されず、マルチタッチのタッチパネルであれば、それ以外の方式のタッチパネルを用いてもよい。
【００３３】
タッチ位置取得部１６は、タッチパネル１４の出力信号を入力して、表示パネル１２の画面上のタッチ位置を示すタッチ位置情報を含むタッチ操作情報を生成する。タッチ位置取得部１６は、例えば、タッチパネル１４の出力信号を入力する回路、及びタッチパネル１４の出力信号を画面上のタッチ位置を示すタッチ位置情報に変換するマイクロコンピュータによって構成される。本例のタッチ位置取得部１６は、表示パネル１２の画面上で二点がタッチされている場合、タッチパネル１４から、タッチされている二点のタッチ位置を取得する。
【００３４】
タッチ操作解析部１８は、タッチ位置取得部１６で生成されたタッチ操作情報に基づいて、タッチ操作種別を識別し、タッチ操作種別を示すタッチ操作種別情報を含むタッチ操作解析情報を生成する。本例のタッチ操作解析部１８は、マイクロコンピュータによって構成される。
【００３５】
本例のタッチ操作解析部１８は、例えば、次のタッチ操作種別を識別可能である。
・一点のタップ：一点をタッチしてから一定時間未満で離すタッチ操作である。
・一点のロングタッチ：一点をタッチしてから同じタッチ位置のままで一定時間以上タッチを続けるタッチ操作である。「プレス・アンド・ホールド」とも言われる。
・一点のスライド：一点をタッチしてからスライドさせるタッチ操作である。一般に、「フリック」、「スワイプ」などがある。
・二点のタップ：二点をタッチしてから一定時間未満で二点とも離すタッチ操作である。
・二点のロングタッチ：二点をタッチしてから同じタッチ位置のままで二点の  タッチを一定時間以上継続するタッチ操作である。
・ピンチアウト：タッチされた二点の間隔を広げるタッチ操作である。
・ピンチイン：タッチされた二点の間隔を狭くするタッチ操作である。
・回転：タッチされた二点を結ぶ直線を回転させるタッチ操作である。
【００３６】
尚、「同じタッチ位置」とは、完全にタッチ位置が一致する場合には限定されず、一定範囲内のタッチ位置の移動を含む。
【００３７】
アクション決定部２０は、タッチ操作解析部１８で生成されたタッチ操作解析情報に基づいて、アクションを決定する。アクションには、表示パネル１２の表示制御が含まれる。本例のアクション決定部２０は、マイクロコンピュータによって構成される。
【００３８】
外部入出力部３２は、インターネットを介して不図示のサーバ装置と通信可能な通信デバイスを含んで構成される。
【００３９】
タイマ３４は、同じタッチ位置でタッチが継続した時間（以下「タッチ継続時間」という）を計時可能である。
【００４０】
記憶部３６は、不揮発性メモリを含んで構成される。本例の記憶部３６はプログラムを格納する。
【００４１】
主制御部３８は、記憶部３６に予め格納されたプログラムに従って、画像表示装置１０の各部を制御する。
【００４２】
本例の表示制御部２２は、図２に示すように、表示パネル１２の画面に、複数の特徴量にそれぞれ対応する複数の特徴量軸を表示させる特徴量軸表示制御部４０と、表示パネル１２の画面に、複数の特徴量を有する複数の画像を表示させる画像表示制御部４２であって、複数の特徴量にそれぞれ対応する複数の特徴量軸に沿って複数の画像を表示させる画像表示制御部４２と、表示パネル１２の画面に、特定の特徴量軸がタッチ操作可能なアクティブ状態であることを示すアクティブ状態表示を行うアクティブ状態表示制御部４４と、アクティブ状態である特定の特徴量軸の縮尺を表示パネル１２の画面において拡縮する拡縮表示制御部４６と、アクティブ状態である特定の特徴量軸を表示パネル１２の画面において特定の特徴量軸の軸方向にスライドさせるスライド表示制御部４８を含む。
【００４３】
画像の特徴量は、例えば、画像の色特徴量、形特徴量、柄特徴量、及び質感特徴量のうちの少なくとも１つを含む。尚、画像の特徴量は、物理的に計測可能な物理的特徴量に限定されず、画像から人が受ける印象を示す感性的特徴量を統計的手法で取得し、その感性的特徴量を画像の特徴量としてもよい。
【００４４】
本例の表示制御部２２の特徴量軸表示制御部４０は、特徴量軸を表示するか否かの切り換えが可能である。表示制御部２２の特徴量軸表示制御部４０により特徴量軸が表示パネル１２の画面に表示された状態（以下「特徴量軸表示状態」という）では、表示制御部２２の画像表示制御部４２は、表示パネル１２の画面上で、表示された特徴量軸に重ねて複数の画像を表示させる。表示制御部２２の特徴量軸表示制御部４０により特徴量軸が表示パネル１２の画面に非表示の状態（以下「特徴量軸非表示状態」という）では、表示制御部２２の画像表示制御部４２は、表示パネル１２の画面上で、非表示の特徴量軸に沿って複数の画像を表示させる。
【００４５】
本例のタッチ操作解析部１８は、図２に示すように、タッチ位置取得部１６により取得されるタッチ位置に基づいて、表示パネル１２の画面上で二点がタッチされている場合に二点のタッチ操作の検出を行う二点タッチ操作検出部５０を含む。本例の二点タッチ操作検出部５０は、表示パネル１２の画面上のタッチされている二点を結ぶ直線（以下「二点間直線」という）の傾きを検出する直線傾き検出部５２と、表示パネル１２の画面上のタッチされている二点を結ぶ二点間直線と特徴量軸との距離（以下「直線間距離」という）を検出する直線間距離検出部５４と、表示パネル１２の画面上のタッチされている二点の間隔（以下「二点間隔」という）の変化を検出する二点間隔変化検出部５６と、表示パネル１２の画面上のタッチされている二点のスライド操作を検出するスライド操作検出部５８と、表示パネル１２の画面上のタッチされている二点を結ぶ二点間直線の傾きの変化を検出する傾き変化検出部６０を含む。
【００４６】
本例のアクション決定部２０は、アクティブ状態の非表示中（表示パネル１２の画面にいずれの特徴量軸もアクティブ状態表示が行われていない期間である）に、タッチ操作解析部１８の二点タッチ操作検出部５０の検出結果に基づいて、複数の特徴量軸のうちから特定の特徴量軸を選択する特徴量軸選択部７０を含む。
【００４７】
本例の特徴量軸選択部７０は、表示パネル１２の画面における複数の特徴量軸のうちで、タッチされている二点を結ぶ二点間直線に傾きが最も近い特徴量軸を、アクティブ状態に設定する特定の特徴量軸として選択する。
【００４８】
また、本例のアクション決定部２０は、表示パネル１２の画面において特定の特徴量軸がアクティブ状態の表示中（表示パネル１２の画面にいずれかの特徴量軸のアクティブ状態表示が行われている期間である）に、二点タッチ操作検出部５０の検出結果に基づいて、例えば、次のように、アクションを決定する。
・二点間隔変化検出部５６により画面上でタッチされている二点の間隔の変化が検出された場合、拡縮表示制御部４６により特徴量軸の拡縮を行うと決定する。即ち、アクティブ状態の表示中のピンチアウト操作に対して特徴量の縮尺の拡大を行い、アクティブ状態の表示中のピンチイン操作に対して特徴量の縮尺の縮小を行う。
・スライド操作検出部５８により画面上でタッチされている二点のスライド操作が検出された場合、スライド表示制御部４８により特徴量軸のスライドを行うと決定する。即ち、アクティブ状態の表示中のスライド操作に対して特徴量軸のスライドを行う。
・傾き変化検出部６０により画面上でタッチされている二点を結ぶ直線の傾きの変化が検出された場合、特徴量軸選択部７０及びアクティブ状態表示制御部４４により「特徴量軸の変更」を行うと決定する。即ち、アクティブ状態の表示中の回転操作に対して特徴量軸の変更を行う。
【００４９】
尚、本例では、アクティブ状態表示中の特徴量軸に対するタッチ操作のアクションとして、特徴量軸の縮尺の拡大、特徴量軸のスライド、及び特徴量軸の変更を行うが、本発明はこのような場合に限定されない。これら以外のアクションを行ってもよい。
【００５０】
特徴量軸選択部７０による特徴量軸の選択操作の態様として、具体的には、次の二つの選択態様がある。
【００５１】
（第１の選択態様）  複数の特徴量軸のうちで、タッチされている二点を結ぶ二点間直線に傾きが最も近い特徴量軸を、特定の特徴量軸として選択する。
【００５２】
（第２の選択態様）  複数の特徴量軸のうちで、タッチされている二点を結ぶ二点間直線との距離が最も小さく、かつタッチされている二点を結ぶ二点間直線に傾きが最も近い特徴量軸を、特定の特徴量軸として選択する。
【００５３】
第１の選択態様は、複数の特徴量軸から特定の特徴量軸を選択するための二点をロングタッチする際に、画面上で特定の特徴量軸から離れた位置の二点をロングタッチしても特定の特徴量軸を選択できるという利点がある。このような第１の選択態様は、画面上に、ほぼ同じ傾きの特徴量軸を複数本表示しない場合に、有効である。
【００５４】
第２の選択態様は、画面上にほぼ同じ傾きの特徴量軸を互いに離間して複数本表示する場合（例えば同一画面で画面の左端と画面の右端とにそれぞれ一本ずつ特徴量軸を表示させる場合）でも、二点のロングタッチでいずれの特徴量軸が選択されているのかを特定することが可能になる。
【００５５】
上記の二つの選択態様のうちいずれを採用するかは、特徴量軸の表示態様により決定することが好ましい。同一画面にほぼ同じ傾きの特徴量軸を複数本表示しない場合でも、ユーザの設定操作に応じて、第１の選択態様及び第２の選択態様のうちいずれの選択態様とするかを切り換えるようにしてもよい。
【００５６】
＜直線間距離検出＞
直線間距離検出部５４により検出される直線間距離（表示パネル１２の画面上のタッチされている二点を結ぶ直線と特徴量軸との距離である）の検出例について、説明する。
【００５７】
本例の直線間距離検出部５４は、図３に示すように、タッチされている二点Ｐ１，Ｐ２の中点Ｐ３（二点Ｐ１，Ｐ２を両端とする直線上に位置し且つ二点Ｐ１，Ｐ２から等しい距離にある点である）から、特徴量軸Ａに対して垂直に降ろした垂線の長さＬＤを、直線間距離とする。
【００５８】
尚、本発明は図３に示した直線間距離ＬＤを直接的に求める場合には限定されず、図３のＬＤに対応する値（例えば直線間の面積）を各特徴量軸について求め、そのＬに対応する値を特徴量軸間で比較してもよい。
【００５９】
＜特徴量軸の選択＞
図４は、本発明に係る画像表示制御処理の要部を示す概略フローチャートである。図４の各工程（ステップＳ１〜Ｓ４）は、記憶部３６に予め記憶されたプログラムに従って、主制御部３８の制御により行われる。
【００６０】
ステップＳ１（画像表示工程）は、画像表示制御部４２により、表示パネル１２の画面に複数の特徴量を有する複数の画像を表示させる工程であって、複数の特徴量にそれぞれ対応する複数の特徴量軸に沿って複数の画像を表示させる工程である。
【００６１】
ステップＳ２（特徴量軸選択工程）において、タッチ位置取得部１６により、タッチパネル１４からタッチ位置を取得し、タッチ操作解析部１８によりタッチ操作種別を判定する。
【００６２】
ステップＳ３（特徴量軸選択工程）において、表示パネル１２の画面上で二点がロングタッチされている場合、特徴量軸選択部７０により、複数の特徴量軸のうちで、少なくともタッチされている二点を結ぶ直線（二点間直線）に傾きが最も近い特徴量軸を、特定の特徴量軸として選択する。
【００６３】
ステップＳ４（アクティブ状態表示工程）において、アクティブ状態表示制御部４４により、表示パネル１２の画面に、選択された特定の特徴量軸がタッチ操作可能なアクティブ状態であることを示すアクティブ状態表示を行う。
【００６４】
図４を用いて説明したように、本発明の画像表示制御方法の一実施形態は、画面を有する表示パネル１２を用い、表示パネル１２の画面に複数の特徴量を有する複数の画像を表示させる工程であって複数の特徴量にそれぞれ対応する複数の特徴量軸に沿って複数の画像を表示させる工程と、表示パネル１２の画面上のタッチ位置を検知するタッチパネル１４を用い、表示パネル１２の画面上で二点がタッチされている場合、タッチパネル１４から二点のタッチ位置を取得する工程と、複数の特徴量軸のうちで二点を結ぶ直線に傾きが最も近い特徴量軸を特定の特徴量軸として選択する工程と、表示パネル１２の画面に、特定の特徴量軸がタッチ操作可能なアクティブ状態であることを示すアクティブ状態表示を行う工程を含む。上記の画像表示制御方法は、図１の画像表示装置１０に行わせる場合に限定されず、一般のコンピュータ装置にプログラムに従って行わせる場合であってもよい。
【００６５】
尚、本発明の理解を容易にするために、図４を用いて簡略に説明したが、実際には、図５に示すように、特徴量軸選択以外のタッチ操作に対する処理も行う。
【００６６】
図５において、ステップＳ１（画像表示工程）及びステップＳ２（特徴量軸選択工程）は、図４のステップＳ１及びステップＳ２と同じである。
【００６７】
図６は、商品検索結果として、複数の商品画像Ｍを複数の特徴量軸Ａ１、Ａ２、Ａ３、Ａ４に沿って表示した画像表示例を示す。第１の特徴量軸Ａ１は、商品画像の色あい（「色相」ともいう）を示す軸である。第２の特徴量軸Ａ２は、商品画像の明るさ（「明度」ともいう）を示す軸である。第３の特徴量軸Ａ３は、商品画像の鮮やかさ（「彩度」ともいう）を示す軸である。第４の特徴量軸Ａ４は、商品画像の柄種類を示す軸である。
【００６８】
次に、タッチ位置取得部１６により、タッチパネル１４からタッチ位置を取得し、タッチ操作解析部１８により、タッチ操作種別を判定する（ステップＳ２）。
【００６９】
次に、アクション決定部２０により、特徴量軸の選択操作（本例では二点のロングタッチ）であるか否かを判定する。
【００７０】
図７は、第１の特徴量軸Ａ１の上の二点Ｐ１、Ｐ２がロングタッチされた様子を示す。本例のタッチ操作解析部１８は、二点Ｐ１、Ｐ２がロングタッチされたか否かを判定する。つまり、タッチ操作解析部１８は、二点Ｐ１、Ｐ２がタッチされてから、二点Ｐ１、Ｐ２とも同じタッチ位置のままで、タッチが一定時間継続したか否かを判定する。
【００７１】
特徴量軸の選択操作でない場合（ステップＳ１２でＮＯの場合）にはステップＳ１４に進んで、タッチ操作に応じた一般のアクションを実行する、例えば、特定の商品画像に対して一点のタップが行われた場合、特定の商品画像を拡大して表示するアクションを行う。例えば、特定の商品画像に対して一点のロングタッチが行われた場合、特定の商品画像に対応する商品の属性情報（例えば商品名）を表示するアクションを行う。例えば、ピンチアウトが行われた場合、所謂ズームアウトとして、ピンチアウトのずらし量に応じた画面拡大表示のアクションを行う。例えば、ピンチインが行われた場合、所謂ズームインとして、ピンチインのずらし量に応じた画面縮小表示のアクションを行う。
【００７２】
特徴量軸の選択操作（二点ロングタッチ）である場合（ステップＳ１２でＹＥＳの場合）には、ステップＳ１６〜Ｓ２０に示す処理（図４のステップＳ３に相当する処理である）が行われる。
【００７３】
本例では、直線傾き検出部５２により、表示パネル１２の画面上のタッチされている二点Ｐ１、Ｐ２を結ぶ二点間直線の傾きを検出し（ステップＳ１６）、かつ、直線間距離検出部５４により、表示パネル１２の画面上のタッチされている二点Ｐ１，Ｐ２を結ぶ二点間直線と複数の特徴量軸Ａ１〜Ａ４のそれぞれとの直線間距離を検出する（ステップＳ１８）。特徴量軸選択部７０により、複数の特徴量軸Ａ１〜Ａ４のうちで、タッチされている二点Ｐ１，Ｐ２を結ぶ二点間直線との距離が最も小さく、かつタッチされている二点Ｐ１，Ｐ２を結ぶ二点間直線に傾きが最も近い特徴量軸を、特定の特徴量軸として選択する（ステップＳ２０）。
【００７４】
次に、アクティブ状態表示制御部４４により、表示パネル１２に、選択された特定の特徴量軸がタッチ操作可能なアクティブ状態であることを示すアクティブ状態表示を行う（ステップＳ４）。つまり、アクティブ状態表示制御部４４は、二点のタッチが一定時間継続した場合に特定の特徴量軸がアクティブ状態であると判定してアクティブ状態表示を行う。
【００７５】
図８は、アクティブ状態表示の一例を示す。本例では、選択された特定の特徴量軸Ａ１を非選択の特徴量軸Ａ２〜Ａ４よりも太く且つ非選択の特徴量軸Ａ２〜Ａ４とは異なる色で表示することにより、特徴量軸Ａ１のアクティブ状態表示を行う。また、本例では、アクティブ状態表示で太くした特徴量軸Ａ１に商品画像Ｍが隠れて見えなくならないように、特徴量軸Ａ１に商品画像Ｍを透過して表示させている。尚、アクティブ状態表示はこのような例に限定されない。例えば、単に、非選択の特徴量軸Ａ２〜Ａ４とは異なる色で特定の特徴量軸Ａ１を表示するだけの場合を含む。あるいは、単に、非選択の特徴量軸Ａ２〜Ａ４とは異なる線種（例えば点線）で、特定の特徴量軸Ａ１を表示してもよい。
【００７６】
次に、アクティブ状態表示中の処理を行う（ステップＳ２２）。
【００７７】
また、本処理を終了するか否かを判定し（ステップＳ２４）、終了しないと判定された場合（ステップＳ２４でＮＯの場合）にはステップＳ２に戻り、終了すると判定された場合（ステップＳ２４でＹＥＳの場合）には本処理を終了する。
【００７８】
＜アクティブ状態表示中の処理＞
図９は、図５のステップＳ２２（アクティブ状態表示中の処理）の一例を示すフローチャートである。
【００７９】
まず、アクティブ状態表示中に、二点間隔変化検出部５６により表示パネル１２の画面上のタッチされている二点Ｐ１，Ｐ２の間隔の変化を検出する（ステップＳ４２）。二点Ｐ１，Ｐ２の間隔が変化した場合（ステップＳ４２でＹＥＳの場合）には、拡縮表示制御部４６により特徴量軸の縮尺の拡縮を行う（ステップＳ４４）。つまり、アクティブ状態表示中に二点Ｐ１，Ｐ２の間隔の変化が検出された場合、アクション決定部２０によりアクションとして「特徴量軸の拡縮」を決定し、拡縮表示制御部４６により表示パネル１２の画面上で二点Ｐ１，Ｐ２の間隔の変化量に応じて特定の特徴量軸の縮尺を拡縮する。
【００８０】
例えば、図８に示すアクティブ状態表示中に、図１０に示すように二点Ｐ１，Ｐ２のタッチが保たれたままで二点Ｐ１，Ｐ２の間隔を広くするタッチ操作（ピンチアウト）が行われた場合、選択されている第１の特徴量軸Ａ１の縮尺を拡大する。これにより選択されている第１の特徴量軸Ａ１に沿った商品画像Ｍの間隔が広くなる。尚、図中の特徴量軸は目盛りを有さないが、特徴量軸が目盛りを有する場合には目盛りの間隔も広くなる。
【００８１】
例えば、図８に示すアクティブ状態表示中に、図１１に示すように二点Ｐ１，Ｐ２のタッチが保たれたままで二点Ｐ１，Ｐ２の間隔を狭くするタッチ操作（ピンチイン）が行われた場合、選択されている第１の特徴量軸Ａ１の縮尺を縮小する。これにより選択されている第１の特徴量軸Ａ１に沿った商品画像Ｍの間隔が狭くなる。尚、図中の特徴量軸は目盛りを有さないが、特徴量軸が目盛りを有する場合には目盛りの間隔も狭くなる。
【００８２】
また、アクティブ状態表示中に、スライド操作検出部５８により表示パネル１２の画面上のタッチされている二点Ｐ１，Ｐ２のスライドを検出する。二点Ｐ１，Ｐ２のスライドが検出された場合（ステップＳ４６でＹＥＳの場合）には、スライド表示制御部４８により特徴量軸のスライドを行う（ステップＳ４８）。つまり、アクティブ状態の表示中にスライド操作検出部５８により二点Ｐ１，Ｐ２のスライドが検出された場合、アクション決定部２０によりアクションとして「特徴量軸のスライド」を決定し、スライド表示制御部４８により表示パネル１２の画面上で二点Ｐ１，Ｐ２のスライド量に応じて特定の特徴量軸を特徴量軸の軸方向にスライドさせる。
【００８３】
例えば、図８に示すアクティブ状態表示中に、図１２に示すように二点Ｐ１，Ｐ２のタッチが保たれたままで二点Ｐ１，Ｐ２間の中心点が移動した場合、選択されている特徴量軸Ａ１を、タッチのスライド量に応じて、特徴量軸Ａ１の軸方向においてスライドさせる。
【００８４】
また、アクティブ状態表示中に、傾き変化検出部６０により表示パネル１２の画面上のタッチされている二点Ｐ１，Ｐ２を結ぶ二点間直線の傾きの変化を検出する（ステップＳ５０）。二点Ｐ１，Ｐ２の間隔が変化した場合（ステップＳ５０でＹＥＳの場合）には、特徴量軸選択部７０及びアクティブ状態表示制御部４４により特徴量軸の変更を行う（ステップＳ５２）。つまり、アクティブ状態表示中に二点Ｐ１，Ｐ２を結ぶ二点間直線の傾きの変化が検出された場合、アクション決定部２０によりアクションとして「特徴量軸の変更」を決定し、特徴量軸選択部７０によりアクティブ状態表示されている特定の特徴量軸に対して回動の方向において隣接する特徴量軸を、新しい特定の特徴量軸として選択する。アクティブ状態表示制御部４４は、新しい特定の特徴量軸が選択された場合、アクティブ状態表示中の特徴量軸のアクティブ状態表示を解除して、新しい特定の特徴量軸のアクティブ状態表示を行う。
【００８５】
例えば、図８に示すアクティブ状態表示中に、図１３に示すように二点Ｐ１，Ｐ２のタッチが保たれたままで二点Ｐ１、Ｐ２を結ぶ二点間直線の傾きを変化させるタッチ操作（回転）が行われた場合、アクティブ表示されている第１の特徴量軸Ａ１のアクティブ状態表示を解除して、第１の特徴量軸Ａ１に対して回動の方向において隣接する第２の特徴量軸Ａ２を新しい特定の特徴量軸として選択し、第２の特徴量軸Ａ２のアクティブ状態表示を行う。
【００８６】
また、アクティブ状態表示中に、アクティブ状態解除の操作が行われたか否かを判定する（ステップＳ５４）。アクティブ状態解除は、例えば、アクティブ状態解除用のボタンを表示パネル１２の画面に表示させておき、そのボタンがタップされたときに行うようにしてもよいし、特別なタッチ操作（例えば一点タッチの回転）により行うようにしてもよい。アクティブ状態解除のタッチ操作が行われた場合（ステップＳ５４でＹＥＳの場合）には、ステップＳ５６においてアクティブ状態解除を行う。このアクティブ状態解除では、新たな特徴量軸の選択は行われない。アクティブ状態解除のタッチ操作が行われなかった場合（テップＳ５４でＮＯの場合）には、ステップＳ４２に戻る。
【００８７】
以上説明したように、本例は、二点のロングタッチを「特徴量軸の選択」操作に割り当て、選択された特徴量軸のアクティブ表示を行う構成としたことにより、特徴量軸の選択操作に続く特徴量軸に対する一例の操作を、連続した簡易なタッチ操作で行い得る点で好ましい。つまり、二点のロングタッチに連続してピンチアウトを行うことにより特徴量軸の縮尺の拡大を行うことができ、二点のロングタッチに連続してピンチインを行うことにより特徴量軸の縮尺の縮小を行うことができ、二点のロングタッチに連続して二点のスライドを行うことにより特徴量軸のスライドを行うことができ、二点のロングタッチに連続して回転を行うことにより特徴量軸の変更を行うことができる。
【００８８】
尚、本発明は「特徴量軸の選択」操作に二点のロングタッチを割り当てる場合に限定されない。二点のロングタッチ以外の他の二点タッチ操作を、特徴量軸の選択操作に割り当ててもよい。例えば、二点のタップ（二点を同時にタッチして二点を同時に離すタッチ操作）が行われた場合に、「特徴量軸の選択」操作が行われたと判定する態様が例として挙げられる。
【００８９】
＜バリエーション＞
前述の実施形態では、複数の特徴量軸を表示パネルの画面に表示させ、表示された特徴量軸に重ねて複数の画像を表示する場合を例に説明したが、このような場合に本発明は限定されない。
【００９０】
複数の特徴量軸を表示パネルの画面に非表示とし、非表示の特徴量軸に沿って複数の画像を表示させるようにしてもよい。
【００９１】
図１４は、特徴量軸が非表示である場合の画像表示の一例を示す。図中に点線で描いた特徴量軸Ａ１、Ａ２、Ａ３、Ａ４は、表示パネル１２の画面上で表示されない。特徴量軸が非表示であっても、複数の画像が特徴量軸に沿って一直線に並んで表示されていた場合、ユーザは一直線に並んだ複数の画像から非表示の特徴量軸の位置を把握することができる。よって、図１５に示すように、二点Ｐ１、Ｐ２のロングタッチで特徴量軸の選択操作（例えば特徴量軸Ａ１の選択）を行うことが可能である。図１６に示すように、特徴量軸選択部７０によって選択された特定の特徴量軸Ａ１に対応するアクティブ状態表示Ｄ１がアクティブ状態表示制御部４４によって行われる。
【００９２】
≪特徴量軸選択の他の態様≫
前述の実施形態では、タッチされている二点を結ぶ直線の傾きを検出する場合を例に説明したが、このような場合に本発明は限定されない。
【００９３】
二点タッチ操作検出部５０により、タッチされている二点の両方が軸上に位置する特徴量軸が存在するか否かを判定し、タッチされている二点の両方が軸上に位置している特徴量軸が「二点を結ぶ直線に傾きが最も近い特定の特徴量軸」であると判定してもよい。
【００９４】
＜スマートフォン＞
以下、本発明を適用可能なスマートフォン１０１の一例について説明する。
【００９５】
図１７は、スマートフォン１０１の外観を示す図である。図１７に示すスマートフォン１０１は、平板状の筐体１０２を有し、筐体１０２の一方の面に表示部としての表示パネル１２１と、入力部としての操作パネル１２２とが一体となった表示入力部１２０を備える。また、筐体１０２は、スピーカ１３１と、マイクロホン１３２、操作部１４０と、カメラ部１４１とを備える。なお、筐体１０２の構成はこれに限定されず、例えば、表示部と入力部とが独立した構成が採用されてもよいし、折り畳み構造やスライド機構を有する構成が採用されてもよい。
【００９６】
図１８は、図１７に示すスマートフォン１０１の構成を示すブロック図である。図１８に示すように、スマートフォン１０１の主たる構成要素として、無線通信部１１０と、表示入力部１２０と、通話部１３０と、操作部１４０と、カメラ部１４１と、記憶部１５０と、外部入出力部１６０と、ＧＰＳ（Ｇｌｏｂａｌ  Ｐｏｓｉｔｉｏｎｉｎｇ  Ｓｙｓｔｅｍ）受信部１７０と、モーションセンサ部１８０と、電源部１９０と、主制御部１００とを備える。また、スマートフォン１０１の主たる機能として、基地局装置ＢＳと移動通信網ＮＷとを介した移動無線通信を行う無線通信機能を備える。
【００９７】
無線通信部１１０は、主制御部１００の指示に従って、移動通信網ＮＷに収容された基地局装置ＢＳに対し無線通信を行うものである。係る無線通信を使用して、音声データ、画像データ等の各種ファイルデータ、電子メールデータなどの送受信や、Ｗｅｂデータやストリーミングデータなどの受信を行う。
【００９８】
表示入力部１２０は、主制御部１００の制御により、画像（静止画像及び動画像）や文字情報などを表示して視覚的にユーザに情報を伝達し、表示した情報に対するユーザ操作を検出する、いわゆるタッチパネルであって、表示パネル１２１と、操作パネル１２２とを備える。
【００９９】
表示パネル１２１は、ＬＣＤ（Ｌｉｑｕｉｄ  Ｃｒｙｓｔａｌ  Ｄｉｓｐｌａｙ）、ＯＥＬＤ（Ｏｒｇａｎｉｃ  Ｅｌｅｃｔｒｏ−Ｌｕｍｉｎｅｓｃｅｎｃｅ  Ｄｉｓｐｌａｙ）などを表示デバイスとして用いたものである。操作パネル１２２は、表示パネル１２１の表示画面上に表示される画像を視認可能に載置され、ユーザの指や尖筆によって操作される座標を検出するデバイスである。デバイスをユーザの指や尖筆によって操作すると、操作に起因して発生する検出信号を主制御部１００に出力する。次いで、主制御部１００は、受信した検出信号に基づいて、表示パネル１２１上の操作位置（座標）を検出する。
【０１００】
図１７に示すように、撮像装置の一実施形態として例示しているスマートフォン１０１の表示パネル１２１と操作パネル１２２とは一体となって表示入力部１２０を構成しているが、操作パネル１２２が表示パネル１２１を完全に覆うような配置となっている。係る配置を採用した場合、操作パネル１２２は、表示パネル１２１外の領域についても、ユーザ操作を検出する機能を備えてもよい。換言すると、操作パネル１２２は、表示パネル１２１に重なる重畳部分についての検出領域（以下、表示領域と称する）と、それ以外の表示パネル１２１に重ならない外縁部分についての検出領域（以下、非表示領域と称する）とを備えていてもよい。
【０１０１】
なお、表示領域の大きさと表示パネル１２１の大きさとを完全に一致させてもよいが、両者を必ずしも一致させる必要はない。また、操作パネル１２２が、外縁部分と、それ以外の内側部分の２つの感応領域を備えていてもよい。更に、外縁部分の幅は、筐体１０２の大きさなどに応じて適宜設計されるものである。更にまた、操作パネル１２２で採用される位置検出方式としては、マトリクススイッチ方式、抵抗膜方式、表面弾性波方式、赤外線方式、電磁誘導方式、静電容量方式などが挙げられ、いずれの方式を採用することもできる。
【０１０２】
通話部１３０は、スピーカ１３１やマイクロホン１３２を備え、マイクロホン１３２を通じて入力されたユーザの音声を主制御部１００にて処理可能な音声データに変換して主制御部１００に出力し、無線通信部１１０或いは外部入出力部１６０により受信された音声データを復号してスピーカ１３１から出力するものである。また、図１７に示すように、例えば、スピーカ１３１を表示入力部１２０が設けられた面と同じ面に搭載し、マイクロホン１３２を筐体１０２の側面に搭載することができる。
【０１０３】
操作部１４０は、キースイッチなどを用いたハードウェアキーであって、ユーザからの指示を受け付けるものである。例えば、図１７に示すように、操作部１４０は、スマートフォン１０１の筐体１０２の側面に搭載され、指などで押下されるとオンとなり、指を離すとバネなどの復元力によってオフ状態となる押しボタン式のスイッチである。
【０１０４】
記憶部１５０は、主制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。また、記憶部１５０は、スマートフォン内蔵の内部記憶部１５１と着脱自在な外部メモリスロットを有する外部記憶部１５２により構成される。なお、記憶部１５０を構成するそれぞれの内部記憶部１５１と外部記憶部１５２は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＭｉｃｒｏＳＤ（登録商標）メモリ等）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などの格納媒体を用いて実現される。
【０１０５】
外部入出力部１６０は、スマートフォン１０１に連結されるすべての外部機器とのインタフェースの役割を果たすものであり、他の外部機器に通信等（例えば、ユニバーサルシリアルバス（ＵＳＢ）、ＩＥＥＥ１３９４など）又はネットワーク（例えば、インターネット、無線ＬＡＮ、ブルートゥース（Ｂｌｕｅｔｏｏｔｈ）（登録商標）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ：ＩｒＤＡ）（登録商標）、ＵＷＢ（Ｕｌｔｒａ  Ｗｉｄｅｂａｎｄ）（登録商標）、ジグビー（ＺｉｇＢｅｅ）（登録商標）など）により直接的又は間接的に接続するためのものである。
【０１０６】
スマートフォン１０１に連結される外部機器としては、例えば、有／無線ヘッドセット、有／無線外部充電器、有／無線データポート、カードソケットを介して接続されるメモリカード（Ｍｅｍｏｒｙ  ｃａｒｄ）やＳＩＭ（Ｓｕｂｓｃｒｉｂｅｒ  Ｉｄｅｎｔｉｔｙ  Ｍｏｄｕｌｅ  Ｃａｒｄ）／ＵＩＭ（Ｕｓｅｒ  Ｉｄｅｎｔｉｔｙ  Ｍｏｄｕｌｅ  Ｃａｒｄ）カード、オーディオ・ビデオＩ／Ｏ（Ｉｎｐｕｔ／Ｏｕｔｐｕｔ）端子を介して接続される外部オーディオ・ビデオ機器、無線接続される外部オーディオ・ビデオ機器、有／無線接続されるスマートフォン１０１、有／無線接続されるパーソナルコンピュータ、有／無線接続されるＰＤＡ、有／無線接続されるパーソナルコンピュータ、イヤホンなどがある。外部入出力部は、このような外部機器から伝送を受けたデータをスマートフォン１０１の内部の各構成要素に伝達することや、スマートフォン１０１の内部のデータが外部機器に伝送されるようにしてもよい。
【０１０７】
ＧＰＳ受信部１７０は、主制御部１００の指示に従って、ＧＰＳ衛星ＳＴ１〜ＳＴｎから送信されるＧＰＳ信号を受信し、受信した複数のＧＰＳ信号に基づく測位演算処理を実行し、スマートフォン１０１の緯度、経度、高度からなる位置を検出する。ＧＰＳ受信部１７０は、無線通信部１１０や外部入出力部１６０（例えば、無線ＬＡＮ）から位置情報を取得できる場合には、その位置情報を用いて位置を検出することもできる。
【０１０８】
モーションセンサ部１８０は、例えば、３軸の加速度センサなどを備え、主制御部１００の指示に従って、スマートフォン１０１の物理的な動きを検出する。スマートフォン１０１の物理的な動きを検出することにより、スマートフォン１０１の動く方向や加速度が検出される。係る検出結果は、主制御部１００に出力されるものである。
【０１０９】
電源部１９０は、主制御部１００の指示に従って、スマートフォン１０１の各部に、バッテリ（図示しない）に蓄えられる電力を供給するものである。
【０１１０】
主制御部１００は、マイクロプロセッサを備え、記憶部１５０が記憶する制御プログラムや制御データに従って動作し、スマートフォン１０１の各部を統括して制御するものである。また、主制御部１００は、無線通信部１１０を通じて、音声通信やデータ通信を行うために、通信系の各部を制御する移動通信制御機能と、アプリケーション処理機能を備える。
【０１１１】
アプリケーション処理機能は、記憶部１５０が記憶するアプリケーションソフトウェアに従って主制御部１００が動作することにより実現するものである。アプリケーション処理機能としては、例えば、外部入出力部１６０を制御して対向機器とデータ通信を行う赤外線通信機能や、電子メールの送受信を行う電子メール機能、Ｗｅｂページを閲覧するＷｅｂブラウジング機能などがある。
【０１１２】
また、主制御部１００は、受信データやダウンロードしたストリーミングデータなどの画像データ（静止画像や動画像のデータ）に基づいて、映像を表示入力部１２０に表示する等の画像処理機能を備える。画像処理機能とは、主制御部１００が、上記画像データを復号し、係る復号結果に画像処理を施して、画像を表示入力部１２０に表示する機能のことをいう。
【０１１３】
更に、主制御部１００は、表示パネル１２１に対する表示制御と、操作部１４０、操作パネル１２２を通じたユーザ操作を検出する操作検出制御を実行する。
【０１１４】
表示制御の実行により、主制御部１００は、アプリケーションソフトウェアを起動するためのアイコンや、スクロールバーなどのソフトウェアキーを表示し、或いは電子メールを作成するためのウィンドウを表示する。なお、スクロールバーとは、表示パネル１２１の表示領域に収まりきれない大きな画像などについて、画像の表示部分を移動する指示を受け付けるためのソフトウェアキーのことをいう。
【０１１５】
また、操作検出制御の実行により、主制御部１００は、操作部１４０を通じたユーザ操作を検出したり、操作パネル１２２を通じて、上記アイコンに対する操作や、上記ウィンドウの入力欄に対する文字列の入力を受け付けたり、或いは、スクロールバーを通じた表示画像のスクロール要求を受け付ける。
【０１１６】
更に、操作検出制御の実行により主制御部１００は、操作パネル１２２に対する操作位置が、表示パネル１２１に重なる重畳部分（表示領域）か、それ以外の表示パネル１２１に重ならない外縁部分（非表示領域）かを判定し、操作パネル１２２の感応領域や、ソフトウェアキーの表示位置を制御するタッチパネル制御機能を備える。
【０１１７】
また、主制御部１００は、操作パネル１２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、或いはこれらを組み合わせて、複数の位置から少なくとも１つについて軌跡を描く操作を意味する。
【０１１８】
カメラ部１４１は、ＣＭＯＳなどの撮像素子を用いて電子撮影するデジタルカメラである。また、カメラ部１４１は、主制御部１００の制御により、撮像によって得た画像データを例えばＪＰＥＧなどの圧縮した画像データに変換し、記憶部１５０に記録し、外部入出力部１６０や無線通信部１１０を通じて出力することができる。図１５に示すようにスマートフォン１０１において、カメラ部１４１は表示入力部１２０と同じ面に搭載されているが、カメラ部１４１の搭載位置はこれに限らず、表示入力部１２０の背面に搭載されてもよいし、或いは、複数のカメラ部１４１が搭載されてもよい。なお、複数のカメラ部１４１が搭載されている場合には、撮影に供するカメラ部１４１を切り換えて単独にて撮影してもよいし、或いは、複数のカメラ部１４１を同時に使用して撮影してもよい。
【０１１９】
また、カメラ部１４１はスマートフォン１０１の各種機能に利用することができる。例えば、表示パネル１２１にカメラ部１４１で取得した画像を表示することや、操作パネル１２２の操作入力の１つとして、カメラ部１４１の画像を利用することができる。また、ＧＰＳ受信部１７０が位置を検出する際に、カメラ部１４１からの画像を参照して位置を検出することもできる。更には、カメラ部１４１からの画像を参照して、３軸の加速度センサを用いずに、或いは、３軸の加速度センサと併用して、スマートフォン１０１のカメラ部１４１の光軸方向を判断することや、現在の使用環境を判断することもできる。勿論、カメラ部１４１からの画像をアプリケーションソフトウェア内で利用することもできる。
【０１２０】
その他、静止画又は動画の画像データにＧＰＳ受信部１７０により取得した位置情報、マイクロホン１３２により取得した音声情報（主制御部等により、音声テキスト変換を行ってテキスト情報となっていてもよい）、モーションセンサ部１８０により取得した姿勢情報等などを付加して記憶部１５０に記録し、外部入出力部１６０や無線通信部１１０を通じて出力することもできる。
【０１２１】
なお、図１の画像表示装置１０のタッチ位置取得部１６、タッチ操作解析部１８、アクション決定部２０、表示制御部２２、タイマ３４、及び主制御部３８は、スマートフォン１０１の主制御部１００に備えられている。図１の画像表示装置１０の表示パネル１２は、スマートフォン１０１に表示パネル１２１として備えられている。図１の画像表示装置１０のタッチパネル１４は、スマートフォン１０１に操作パネル１２２として備えられている。図１の画像表示装置１０の外部入出力３２には、スマートフォン１０１の外部入出力部１６０が対応する。図１の画像表示装置１０の記憶部３６には、スマートフォン１０１の記憶部１５０が対応する。
【０１２２】
本発明は上述した実施の形態に限定されず、本発明の精神を逸脱しない範囲で種々の変形が可能であることは言うまでもない。
【符号の説明】
【０１２３】
１０：画像表示装置、１２：表示パネル、１４：タッチパネル、１６：タッチ位置取得部、１８：タッチ操作解析部、２０：アクション決定部、２２：表示制御部、３４：タイマ、４０：特徴量軸表示制御部、４２：画像表示制御部、４４：アクティブ状態表示制御部、４６：拡縮表示制御部、４８：スライド表示制御部、５０：二点タッチ操作検出部、５２：直線傾き検出部、５４：直線間距離検出部、５６：二点間隔変化検出部、５８：スライド操作検出部、６０：傾き変化検出部、７０：特徴量軸選択部
【図１】
2015215846.tif 000003
【図２】
2015215846.tif 000004
【図３】
2015215846.tif 000005
【図４】
2015215846.tif 000006
【図５】
2015215846.tif 000007
【図９】
2015215846.tif 000008
【図１０】
2015215846.tif 000009
【図１１】
2015215846.tif 000010
【図１２】
2015215846.tif 000011
【図１４】
2015215846.tif 000012
【図１５】
2015215846.tif 000013
【図６】
2015215846.tif 000014
【図７】
2015215846.tif 000015
【図８】
2015215846.tif 000016
【図１３】
2015215846.tif 000017
【図１６】
2015215846.tif 000018
【図１７】
2015215846.tif 000019
【図１８】
2015215846.tif 000020